(57)【要約】      （修正有）【課題】軸筒に複数の筆記体を出没可能に配置した複式筆記具であって、前記複数の筆記体を押圧すべく押圧部材を各々配置すると共に、それら各々の押圧部材を同色とし、組み立てが容易で安価な複式筆記具を提供する。【解決手段】軸筒に複数の筆記体１６を出没可能に配置した複式筆記具であって、前記複数の筆記体を押圧すべく押圧部材を各々配置すると共に、それら各々の押圧部材を同色とした複式筆記具。【選択図】図２
0003134993.tif 000002
【実用新案登録請求の範囲】
【請求項１】
軸筒に複数の筆記体を出没可能に配置した複式筆記具であって、前記複数の筆記体を押圧すべく押圧部材を各々配置すると共に、それら各々の押圧部材を同色としたことを特徴とする複式筆記具。
【請求項２】
前記筆記体に記録体を収容すると共に、その記録体の色と同色の色を前記筆記体の先端近傍に付着したことを特徴とする請求項１記載の複式筆記具。
【請求項３】
前記各々の押圧部材を透明、或いは、半透明としたことを特徴とする請求項１、或いは、請求項２に記載の複式筆記具。
【考案の詳細な説明】
【技術分野】
【０００１】
本発明は、軸筒に複数の筆記体を出没可能に配置した複式筆記具に関する。
【背景技術】
【０００２】
１例として、選択した一つの押子を軸方向へスライド操作することにより、同押子の掛止部が軸筒の掛止段部に掛止されて、同押子に対応する筆記先端部の突出状態を維持させる出没式多色筆記具において、軸筒外周面の窓部から露出する押ボタン部と、軸筒の求心方向に突出する解除突起とを一体的に備える解除部材を軸筒内に設け、該解除部材の前記押ボタン部を押動することにより、掛止されている前記押子を前記解除突起によりその内側から押し動かし、同押子の掛止部を軸筒の掛止段部から離脱させて前記筆記先端部を没入させるように構成した出没式多色筆記具が知られている。
そして、前記押子の色は、その押子に連結されている筆記先端部の色、具体的には、筆記先端部に収容されているインキの色と同色となっている。つまり、使用する筆記先端部（インキ色）を選択し易いようにしているのである。
【０００３】
【特許文献１】特開２００１−１２１８８２号公報。
【考案の開示】
【考案が解決しようとする課題】
【０００４】
しかし、前述の出没式多色筆記具にあっては、各筆記先端部（収容されているインキ色）の色に合った押子を形成しなければならず、材料費のコストアップに繋がってしまっていた。つまり、複数色の押子を製作しなければならないのである。
また、前記押子と筆記先端部を組み立てる場合においては、筆記先端部（収容されているインキ色）に合った色の押子を選択し、組み付ければならず生産性を著しく悪くしてしまっていた。強いては、製品としての価格も吊り上げてしまっていた。
【課題を解決するための手段】
【０００５】
本考案発明は、軸筒に複数の筆記体を出没可能に配置した複式筆記具であって、前記複数の筆記体を押圧すべく押圧部材を各々配置すると共に、それら各々の押圧部材を同色としたことを要旨とする。
【考案の効果】
【０００６】
本考案は、軸筒に複数の筆記体を出没可能に配置した複式筆記具であって、前記複数の筆記体を押圧すべく押圧部材を各々配置すると共に、それら各々の押圧部材を同色としたので、組み立てが容易で安価な複式筆記具を提供することができる。
【考案を実施するための最良の形態】
【０００７】
図１〜図６に示し説明する。３色のボールペンが摺動自在に配置されている多芯筆記具である。ボールペンばかりではなく、シャープペンシルなどであっても良い。参照符号１は、軸本体であり、その軸本体１は、前軸２と後軸３とより構成されている。また、本例において、前軸２は、先部材４と中軸５の螺合構造により構成されているが、一体的に形成されていても良い。しかし、前記筆記体の交換や成形の容易性を考慮すると２部材とし、着脱自在に固定した方が良い。その先部材４は、透明、或いは、半透明な材料で形成されており、前記各ボールペンに収容されているインキ（記録体）の色の視認が可能となっている。
【０００８】
前記後軸３には、その長手方向に３個のスリット６が形成されている。本例においては、３個のスリット６が形成されているが、筆記体であるボールペンの数が３本であるためであり、この筆記体の本数によってスリットの形成する数も変わるものである。また、スリット６は、後軸３の一方の端部まで形成されていると共に、スリット６の両側には、摺動溝７が形成されている。しかし、この摺動溝７は、スリット６の両側の全長に渡って形成されているのではなく、中間部までしか形成されていない。
前記後軸３の前方には断面の形状が外径方向に向かって拡開するほぼ扇形をした脚部８が形成されている。この脚部８は、スリット６が形成されることにより形成される。よって、筆記体の数によって脚部８の数は変わる。参照符号９は、後軸３の側面に形成されたクリップ部である。また、参照符号１０は各脚部８の中間部に形成された円弧状のリブであり、後軸３を中軸５に組み付けた際の、その後軸３と中軸５との振れを防止するためのリブとなっている。その円弧状のリブ１０は、脚部８の円周方向に形成されており、その円弧状のリブ１０の前端部には傾斜面１０ａが形成されているが、後端部は直角に切り落とされた段部１０ｂとなっている。後述する中軸５の円弧状リブ１０ａを乗り越え易くすると共に、乗り越えた後には抜けにくい構成としているのである。尚、円弧状のリブ１０の後方には、縦リブ８ａが形成されており、この縦リブ８ａによっても後軸３と中軸５との振れが防止されている。
【０００９】
前記後軸３のスリット６には、スライダー（押圧部材）１１が摺動自在に配置されている。このスライダー１１の長手方向の両側には、摺動突起１２が形成されており、前記スリット６に形成された摺動溝７に摺動可能に係合している。このスライダー１１の背面には、間隔をおいて２つの解除突起１３、１４が形成されており、スライダー１１の前端部には、筆記体を接続する球状の接続部１５が形成されている。そして、この接続部１５には、ボールペンやシャープペンシルなどの筆記体１６が接続されている。参照符号１７は、筆記体１６並びに筆記体１６に接続するスライダー１１を後方に付勢するコイルスプリングなどの弾撥部材である。
前記３個のスリット６に配置されている３個のスライダー１１は、その全てのスライダーの色が同色となっている。本例においては、全てのスライダーが無色透明となっているが、着色された半透明であっても良いし、或いは、白や赤、黒色に着色された不透明なスライダーとしても良い。全てのスライダーの色が同色であれば良いのである。
また、前記スライダー１１の後部には、指が掛かる半円弧状の突出部１１ａが形成されている。指へやさしくフィットさせるためになされた形状であるが、指への引っ掛かり性や滑り止め性を向上させるならば、前記半円弧状の突出部１１ａの表面にローレット加工や微細な凹凸などを施しても良い。
また、前記筆記体１６の先端近傍の突出動作の際、露出する部分には、収容されているインキ（記録体）の色と同色か、或いは、近似する色の模様（表示）１６ａが施されている。本例においては、筆記体１６の先端部を囲繞するように模様１６ａを帯状に付着させているが、先端部のほぼ全域に渡って付着させても良い。使用する筆記体の選択を容易なものとしている。即ち、筆記体１６の模様１６ａを見れば、何色の筆記体が選択されているのかが判るのである。
【００１０】
前記前軸２の１部材である中軸５の中間部には、規制部１８が形成されており、その規制部１８には、筆記体１６が遊挿する３つの貫通孔１９と、規制部１８の外縁部付近に後述する溝部２０と同一直線上にほぼ四角形状の貫通孔１９ａが形成されている。この規制部１８に弾撥部材１７の一端を係止させることにより、筆記体１６を後方に付勢しているものである。また、中軸５の内側で、規制部１８の後方には、長手方向に３つの溝部２０が形成されており、この溝部２０に前記後軸の３の脚部８が摺接され、組み立て時に脚部８が案内されるようになっている。また、その溝部２０は、脚部８の断面形状とほぼ同形をなしている。即ち、外径方向に向かって拡開する扇形を形成している。
また、前記３つの溝部２０の間であって、且つ、前記貫通孔１９ａの上方には、突起２１が形成されている。その突起２１の後部には、中心方向に向けて前方に傾斜する傾斜面２１ａが形成されている。前記後軸３を中軸５に組み付けた際、この突起２１に後軸３の脚部８に設けた凹状の係合部３ａが係合するものである。尚、後軸３の脚部８の係合部３ａの近傍は、溝部２０に摺接されておらず、そのため、係合部３ａが突起２１を乗り越える際、前記細径部８ｂの前端傾斜面が突起２１の傾斜面に当接し、その細径部８ｂが傾斜面に沿って縮径側にたわみ、乗り越えた後は脚部８の弾性復元力によって元の位置へ戻り突起２１と係合する。つまり凹状の係合部３ａに突起２１が嵌り込み後軸３と前軸５が連結・固定されるのである。
尚、前記突起２１の内径側における高さは、貫通孔１９ａの内径を超えないものとなっている。即ち、前軸５を射出成形などの手段によって成形する際、前軸の前方中空部を形成するコアピンと後部中空部を形成するコアピンによって容易に成形し得るようにしているのである。ちなみに、突起２１の高さが貫通孔１９ａの内形を超えてしまうと、規制部１８と突起２１との間にアンダーカットが形成され、実質的に成形が不可能になってしまう。
【００１１】
次に作用について説明する。後軸３を中軸５に組み付ける際、脚部８を溝部２０に挿着するが、この挿着過程で突起１０が円弧リブ２０ａを乗り越える。このとき、円弧リブ２０ａと突起１０との係合により、後軸３の中軸５に対する抜け出しが防止されると共に、円弧リブ２０ａによって脚部８が溝部２０の縮径方向に押し付けられ、その結果、楔作用が発生し、脚部８と溝部２０が強固に固定される。即ち、後軸３が中軸５に強硬に固定され、径方向、並びに、円周方向の振れが防止されるのである。
尚、本例においては、後軸３の脚部８を中軸５の溝部２０に押し付ける例として、溝部２０の円弧面に円弧リブ２０ａを形成したが、脚部８を上方に向けて扇形状を維持しつつ徐々に大形としたり、或いは、溝部２０を下方に向けて徐々に細形にするなどしても良い。
【００１２】
次に動作について説明する。特定のスライダー１１を前方（図中下方）に押圧すると、スライダー１１は、スリット６並びに摺動溝７に案内されながら、筆記体１６を伴い前進し、筆記体１６の先端が軸本体１の先端より突出する。と、同時に、スライダー１１が軸筒本体１の内側に押し込まれ、次いで、スライダー１１の側面部に形成されている摺動突起１２の後端が、摺動溝７の前端部に係合し、筆記体１６の後退作用を阻止する。つまり、この摺動溝７をスリット６の中間部までしか形成しないことにより、スライダー１１の係合をも兼ねるようになっている。
次に、筆記体１６を軸本体１に収納したい場合には、他のスライダー１１を押圧する。他のスライダー１１を押圧すると、互いのスライダー１１の背面に形成されている解除突起１３、１４が衝突する。この衝突作用により、押圧されている状態にあるスライダー１１が軸筒本体１の外側方向に押圧される。そして、この押圧作用により、前記スライダー１１の摺動突起と摺動溝７との係合が解除され、その解除作用により突出している状態にある筆記体１６が弾撥部材１７の作用により後退し軸本体１内に没入する。
【図面の簡単な説明】
【００１３】
【図１】本考案の１例を示す縦断面図（筆記体収納時）。
【図２】本考案の１例を示す縦断面図（筆記体突出時）。
【図３】図１のＡ−Ａ線断面図。
【図４】図２のＢ−Ｂ線断面図。
【図５】図１のＣ−Ｃ線断面図。
【図６】図１のＤ−Ｄ線断面図。
【符号の説明】
【００１４】
１      軸本体
２      前軸
３      後軸
４      先部材
５      中軸
６      スリット
７      摺動溝
８      脚部
９      クリップ
１０    リブ
１０ａ  傾斜面
１０ｂ  段部
１１    スライダー
１２    摺動突起
１３    解除突起
１４    解除突起
１５    接続部
１６    筆記体
１７    弾撥部材
１８    規制部
１９    貫通孔
２０    溝部
２１    突起
【図１】
0003134993.tif 000003
【図２】
0003134993.tif 000004
【図３】
0003134993.tif 000005
【図４】
0003134993.tif 000006
【図５】
0003134993.tif 000007
【図６】
0003134993.tif 000008